【手続補正書】
【提出日】平成23年7月4日(2011.7.4)
【手続補正１】
【補正対象書類名】特許請求の範囲
【補正対象項目名】全文
【補正方法】変更
【補正の内容】
【特許請求の範囲】
【請求項１】
通信端末宛てのパケット割り当て領域及び管理端末宛てのパケット割り当て領域を、サブチャンネル軸及び時間軸の２次元でスケジュールし、周期的にスケジュールパケットを送信するアクセス制御方式を用いた管理端末であって、
パケットを送信する送信部と、
パケットを受信する受信部と、
前記送信部より送信するパケットを生成する送信パケット生成部と、
前記受信部により受信されたパケットに格納された内容を読み出すパケット内容読み出し部と、
前記通信端末がパワーセーブ動作中である場合に、該通信端末がパワーセーブ通信端末であることを前記パケット内容読み出し部からのパケット内容から検知するパワーセーブ検知部と、
前記送信パケット生成部に生成するパケットを指示し、生成されたパケットの送信を制御する主制御部と、を備え、
前記主制御部は、前記通信端末が前記パワーセーブ通信端末であることを前記パワーセーブ検知部が検知した場合に、該パワーセーブ通信端末宛てのパケット割り当て領域の時間軸が短くなるようにスケジュールすることを特徴とする管理端末。
【請求項２】
通信端末宛てのパケット割り当て領域及び管理端末宛てのパケット割り当て領域を、サブチャンネル軸及び時間軸の２次元でスケジュールし、周期的にスケジュールパケットを送信するアクセス制御方式を用いた管理端末であって、
パケットを送信する送信部と、
パケットを受信する受信部と、
前記送信部より送信するパケットを生成する送信パケット生成部と、
前記受信部により受信されたパケットに格納された内容を読み出すパケット内容読み出し部と、
前記通信端末がパワーセーブ動作中である場合に、該通信端末がパワーセーブ通信端末であることを前記パケット内容読み出し部からのパケット内容から検知するパワーセーブ検知部と、
前記送信パケット生成部に生成するパケットを指示し、生成されたパケットの送信を制御する主制御部と、を備え、
前記主制御部は、前記通信端末が前記パワーセーブ通信端末であることを前記パワーセーブ検知部が検知した場合に、該パワーセーブ通信端末の管理端末宛てのパケット割り当て領域の時間軸が短くなるようにスケジュールすることを特徴とする管理端末。
【請求項３】
前記主制御部は、前記通信端末が前記パワーセーブ通信端末であることを前記パワーセーブ検知部が検知した場合に、前記パワーセーブ通信端末宛てのパケット割り当て領域及び該パワーセーブ通信端末の管理端末宛てのパケット割り当て領域の時間軸が短くなるようにスケジュールすることを特徴とする請求項１または請求項２に記載の管理端末。
【請求項４】
前記主制御部は、前記通信端末が前記パワーセーブ通信端末であることを前記パワーセーブ検知部が検知した場合に、前記パワーセーブ通信端末宛てのパケット割り当て領域及び該パワーセーブ通信端末の管理端末宛てのパケット割り当て領域が隣り合った時間となるようにスケジュールすることを特徴とする請求項３に記載の管理端末。
【請求項５】
前記主制御部は、３つ以上の前記通信端末が前記パワーセーブ通信端末であることを前記パワーセーブ検知部が検知した場合に、前記パワーセーブ通信端末の管理端末宛てのパケット割り当て領域及び前記管理端末の該パワーセーブ通信端末宛てのパケット割り当て領域が隣り合った時間となるように、サブチャンネル軸上で分割してスケジュールすることを特徴とする請求項４に記載の管理端末。
【請求項６】
前記管理端末は、前記パワーセーブ通信端末の電池容量の残量が少ない場合に、該パワーセーブ通信端末が電池容量残量少通信端末であることをパケット内容読み出し部からのパケット内容から検知する電池容量残量少検知部をさらに備え、
前記主制御部は、前記パワーセーブ通信端末が前記電池容量残量少通信端末であることを前記電池容量残量検知部が検知した場合に、前記電池容量残量少通信端末に対するパケット割り当て領域を他のパワーセーブ通信端末に対するパケット割り当て領域よりも時間軸が短くなるようにスケジュールすることを特徴とする請求項５に記載の管理端末。
【請求項７】
管理端末と複数の通信端末により構成される通信システムにおいて、請求項１から５のいずれか１項に記載の管理端末と、パワーセーブ動作中であることを通知可能な通信端末が少なくとも１台含まれることを特徴とする通信システム。
【請求項８】
管理端末と複数の通信端末により構成される通信システムにおいて、請求項６に記載の管理端末と、パワーセーブ動作中であること、及び電池容量の残量が少ないことを通知可能な通信端末が少なくとも１台含まれることを特徴とする通信システム。
【請求項９】
通信端末宛てのパケット割り当て領域及び管理端末宛てのパケット割り当て領域を、サブチャンネル軸及び時間軸の２次元でスケジュールし、周期的にスケジュールパケットを送信するアクセス制御方式を用いた管理端末と、前記管理端末が管理している通信端末との通信制御方法であって、
前記通信端末がパワーセーブ動作中のパワーセーブ通信端末であることを通知してきた場合に、前記管理端末が前記パワーセーブ通信端末宛てのパケット割り当て領域の時間軸が短くなるように、前記スケジュールパケットを構築することを特徴とする通信制御方法。
【請求項１０】
通信端末宛てのパケット割り当て領域及び管理端末宛てのパケット割り当て領域を、サブチャンネル軸及び時間軸の２次元でスケジュールし、周期的にスケジュールパケットを送信するアクセス制御方式を用いた管理端末と、前記管理端末が管理している通信端末との通信制御方法であって、
前記通信端末がパワーセーブ動作中のパワーセーブ通信端末であることを通知してきた場合に、前記管理端末が前記パワーセーブ通信端末の管理端末宛てのパケット割り当て領域の時間軸が短くなるように、前記スケジュールパケットを構築することを特徴とする通信制御方法。
【請求項１１】
前記管理端末がパワーセーブ通信端末宛てのパケット割り当て領域及びパワーセーブ通信端末の管理端末宛てのパケット割り当て領域の時間軸が短くなるように、前記スケジュールパケットを構築することを特徴とする請求項９または請求項１０に記載の通信制御方法。
【請求項１２】
前記管理端末がパワーセーブ通信端末宛てのパケット割り当て領域及びパワーセーブ通信端末の管理端末宛てのパケット割り当て領域が隣り合った時間となるように、前記スケジュールパケットを構築することを特徴とする請求項１１に記載の通信制御方法。
【請求項１３】
前記パワーセーブ通信端末が３つ以上存在する場合に、管理端末が前記パワーセーブ通信端末宛てのパケット割り当て領域及び該パワーセーブ通信端末の管理端末宛てのパケット割り当て領域が隣り合った時間となるように、サブチャンネル軸上で分割して、前記スケジュールパケットを構築することを特徴とする請求項１２に記載の通信制御方法。
【請求項１４】
前記パワーセーブ通信端末が電池容量の残量が少ない電池容量残量少通信端末であることを通知してきた場合に、前記管理端末が前記電池容量残量少通信端末に対するパケット割り当て領域を他のパワーセーブ通信端末に対するパケット割り当て領域よりも時間軸が短くなるように、前記スケジュールパケットを構築することを特徴とする請求項１３に記載の通信制御方法。
【請求項１５】
通信端末宛てのパケット割り当て領域及び管理端末宛てのパケット割り当て領域を、サブチャンネル軸及び時間軸によりスケジュールするための、スケジュールパケットを送信する管理端末であって、
パケットを送信する送信部と、
パケットを受信する受信部と、
前記送信部より送信するパケットを生成する送信パケット生成部と、
前記受信部により受信されたパケットに格納された内容を読み出すパケット内容読み出し部と、
前記通信端末がパワーセーブ動作中である場合に、該通信端末がパワーセーブ通信端末であることを前記パケット内容読み出し部からのパケット内容から検知するパワーセーブ検知部と、
前記送信パケット生成部に生成するパケットを指示し、生成されたパケットの送信を制御する主制御部と、を備え、
前記主制御部は、前記通信端末が前記パワーセーブ通信端末であることを前記パワーセーブ検知部が検知した場合に、該パワーセーブ通信端末宛てのパケット割り当て領域の時間軸が所定の時間幅より短くなるようにスケジュールすることを特徴とする管理端末。